(57)【要約】【課題】手を汚さずに片手で菓子容器を持ちながら内容物を食することが可能となる菓子容器を提供すること。【解決手段】可撓性材料で形成されるとともに、側壁に少なくとも２箇所切り込みまたはミシン目を設けたことを特徴とする菓子容器を提供する。これにより、菓子容器を当該２箇所の切り込みの下端間に沿って折り曲げることができ、従って、購入者は容器の一方の側を持って、他方の側を折り曲げて菓子を露出させ食することができることになる。また、上記切り込みに代えて側壁に比較的弱い力でも切断される２箇所のミシン目が設けた場合、購入者が当該ミシン目を切り離すことによって、上記切り込みと同等の効果を奏することになる。【選択図】図１
2009007025.tif 000002
【特許請求の範囲】
【請求項１】
可撓性材料で形成されるとともに、側壁に少なくとも２箇所切り込みまたはミシン目を設けたことを特徴とする菓子容器。
【請求項２】
上記設けられた２箇所の切り込みまたはミシン目の位置が、当該切り込みまたはミシン目を結ぶ線が、菓子容器を２等分する位置である請求項１に記載の菓子容器。
【請求項３】
上記設けられた２箇所の切り込みまたはミシン目の位置が、当該切り込みまたはミシン目を結ぶ線が、菓子容器の一方に偏った位置である請求項１に記載の菓子容器。
【請求項４】
上記切り込みまたはミシン目の下端部間がさらにミシン目によって接続されたことを特徴とする請求項１〜３のいずれかに記載の菓子容器。
【発明の詳細な説明】
【技術分野】
【０００１】
本発明は、菓子容器に関し、特に菓子に直接手を触れずに食することが可能となる菓子容器に関する。
【背景技術】
【０００２】
一般に、菓子製造業者が製造した菓子は、上面に開口部を有する碗状の容器に当該菓子に収容されることによって、保存あるいは運搬中に変形しないようにすることがある。
【０００３】
例えば、図９は、従来の菓子容器に菓子が収容されている状態の斜視図を示す。図９Ａに示すように、サブレ、クッキーなどの焼成菓子と同じ材質で焼き上げられた船形の形状の皮５に焼き餡４が充填された焼き餡菓子は、図９Ｂに示すように、上記皮５より若干サイズが大きい船形の菓子容器６に収容される。上記サブレとは、サクサクした歯ざわりがする小麦粉、バター、卵黄、砂糖を混ぜてこね、型抜きして焼いた焼成菓子のことである。また、上記クッキーとは、小麦粉、バター、砂糖などを練った生地をオーブンで焼いた焼成菓子のことである。これによって、焼き餡菓子全体の形状は、運搬にも耐え、また長期保存も可能となる。また、上記焼き餡菓子が購入者に届けられた場合、購入者は当該焼き餡菓子の形状を楽しむことが出来る。
【０００４】
しかし、一度上記焼き餡菓子が上記菓子容器６に収容されると、当該焼き餡菓子が菓子容器６に嵌り込んだ状態となり、購入者は手で当該焼き餡菓子を取り出す必要がある。その場合、菓子容器６の開口部から、購入者が指でつまんで菓子を取り出す必要があるため、衛生的でないという問題があった。また、購入者が指で上記焼き餡菓子を取り出す際に無理な力がかかると、当該焼き餡菓子の形状を損なうという問題があった。
【０００５】
そこで、上記問題を解消するために、例えば特許文献１では、菓子を収容するために所定形状に形成された菓子容器であって、当該容器の外壁面には、収容されている当該菓子を当該菓子容器の開口部から押し出すための指圧用窪みが形成されたことを特徴とする菓子容器が開示されている。上記構成により、上記菓子容器に収容された状態にある菓子を、菓子容器に設けられた指圧用窪み部分を軽く押下するだけで、簡易かつ確実に取り出すことができるとしている。
【特許文献１】特開２００２−８７４８９号公報
【発明の開示】
【発明が解決しようとする課題】
【０００６】
しかし、特許文献１に記載の技術では、菓子が固い場合には利用出来るが、菓子が軟い場合には指圧で菓子がつぶれ、かつ、取り出しも出来ない。また、上記菓子と上記菓子容器との密着状態が固持されている場合、指圧用窪み部分が押下されても、上記密着状態が解消されずにそのまま上記菓子が収容された状態となる。そのため、購入者が上記菓子を手で取らなければならず、結局、上記衛生上の問題が残ることになる。
【０００７】
上記発明は上記従来の課題を解決することを目的とするものであり、手で直接菓子に触れることなく菓子容器を持ちながら内容物を食することが可能となる菓子容器を提供することを目的とする。
【課題を解決するための手段】
【０００８】
上述した課題を解決し目的を達成するために、本発明は、本発明に係る菓子容器は、可撓性の材料で形成された容器の側壁に少なくとも２箇所切り込みまたはミシン目を設けるようにしている。
【０００９】
また、菓子容器の形状は菓子の形状に合わせられることになるが、例えば円形や船形である。上記２箇所の切り込みまたはミシン目の位置は、菓子容器を２等分する位置、あるいは一方に偏った対向する位置であるように構成している。
【００１０】
また、上記切り込みまたはミシン目の下端部間がさらにミシン目によって接続されるよう構成している。
【発明の効果】
【００１１】
上記のように上記菓子容器に２箇所の切り込み設けられている場合、菓子容器を当該２箇所の切り込みの下端間に沿って折り曲げることができ、従って、購入者は菓子容器の一方の側を持って、他方の側を折り曲げて菓子を露出させ食することができることになる。
【００１２】
また、上記切り込みに代えて側壁に比較的弱い力でも切断される２箇所のミシン目が設けた場合、購入者が当該ミシン目を切り離すことによって、上記切り込みと同等の効果を奏することになる。
【００１３】
また、購入者が菓子容器を折り曲げやすくなり、簡単に菓子を菓子容器から露出されることが可能となる。
【発明を実施するための最良の形態】
【００１４】
以下に本発明に係る菓子容器の実施の形態を図面に基づき詳細に説明するが、本発明はこれに限定されるものではない。
（第一の実施の形態）
図１は本発明の菓子容器に菓子を収容した状態を示す斜視図である。
【００１５】
図１Ａに示すように、可塑性の材料の船形形状の菓子容器１を２等分する位置の側壁に、当該側壁の上端部から下端部までの切り込み２が２箇所設けられている。
【００１６】
上記菓子容器１の可撓性材料としては、成形性が良く、可撓性を有する合成樹脂などを使用することが可能である。上記菓子は、サブレ、クッキーなどの焼成菓子の材料で舟形形状に焼き上げられた皮５に充填された餡菓子であり、上記菓子容器１は当該菓子が入る形状になっている。
【００１７】
これにより、図１Ｂに示すように、菓子容器１は上記菓子容器１の２等分された一方の側を指で持ち、他方の側に上から力を加えると菓子容器１を切り込み２の下端間に沿って折り曲げることができる。従って、菓子を入れた状態では図２に示すように、上記折り曲げた側の菓子を菓子容器１から露出させることになるので、この部分に口を当てて食することができ、このとき手を汚さず、逆に、菓子も汚れることがない。
【００１８】
（第二の実施の形態）
図３は本発明の他の実施の形態を示す斜視図である。図３Ａに示すように、可塑性の材料の船形形状の菓子容器１の側壁に、一方の切り込み２が左舷前方位置に、他方の切り込み２が右舷後方位置に設けられている。
【００１９】
これにより、購入者は図３Ｂに示すように、一方の手の指で菓子容器１の一方の側を持ち、他方の側に上から力を加えると、菓子容器１は切り込み２の下端間に沿って折り曲げることができる。従って、菓子容器１に菓子をいれた状態では、図４に示すように外側から菓子をつまみ、当該つまんだ側と反対側を、２箇所の切り込み２の下端間に沿って折り曲げて菓子を露出させ食することができることになる。
【００２０】
（第三の実施の形態）
図５は本発明のさらに他の実施の形態を示す斜視図である。
【００２１】
図５Ａに示すように可塑性の材料の船形形状の菓子容器１の側壁の先端部よりの対向する位置に、当該側壁の上端部から下端部までの切り込み２が２箇所設けられている。
【００２２】
これによって、図５Ｂに示すように菓子容器１の一方の側（ここでは後端側）を手で持って、先端側を、上記２箇所の切り込み２の下端間に沿って折り曲げることができる。従って、図６に示すように、菓子を入れた状態では、菓子の先端が露出され、購入者はその部分から食することができることになる。
【００２３】
（第四の実施の形態）
図７は本発明の他の実施の形態を示す斜視図である。
【００２４】
図１で示された第一の実施の形態の切り込み２が、ミシン目３として設けられている。上記ミシン目３は比較的弱い力でも切断されるよう構成している。
【００２５】
なお、“比較的弱い力でも切断される構成”とするためには、ミシン目３の部分の厚み、ピッチ等を経験的に最適なものを定めればよい。購入者は、当該ミシン目３を破り、上記切り込み２を同じ状態とすることによって、上記切り込み２と同じ効果を得ることができる。また、上記切り込み２は箱詰め、あるいは運搬中に型崩れ等のおそれがあるが、当該実施の形態のようにミシン目３にしておくことによって、そのおそれはなくなる。
【００２６】
（第五の実施の形態）
図８は、本発明の他の実施の形態を示す斜視図である。
【００２７】
図８に示すように、切り込み２の下端部間あるいはミシン目３の下端部間がさらにミシン目３によって接続されている。
【００２８】
これによって、購入者は、上記各実施の形態に比べて菓子容器１を折りやすくなり、簡単に菓子を菓子容器１から露出させることが可能となる。
【００２９】
なお、本発明に係る菓子容器１の実施の形態では、当該菓子容器１の形状が船形となるよう構成したが、本発明の目的を損なわない範囲で、当該形状を円形等他の形状としてもよいことはもちろんである。
【００３０】
また、本発明に係る菓子容器１の切り込み２位置は、必ずしも上記に例示した位置に限定されるものではなく、可撓性菓子容器１の側壁に少なくとも２箇所設けられることで足りる。
【００３１】
また、本発明に係る菓子容器１の側壁に柄や縁を設け、当該菓子容器１が容易に折り曲がるよう構成しても構わない。
【００３２】
また、本発明に係る菓子容器１の側壁に、本発明の目的を損なわない範囲で、さらに切り込み２またはミシン目３を当該側壁に設けても構わない。
【産業上の利用可能性】
【００３３】
以上のように、本発明に係る菓子容器は、手を汚さずに片手で菓子容器を持ちながら内容物を食することが可能となる菓子容器に有用である。
【図面の簡単な説明】
【００３４】
【図１】第一の実施の形態を示す斜視図である。
【図２】第一の実施の形態に菓子が収容されている状態を示す斜視図である。
【図３】第二の実施の形態を示す斜視図である。
【図４】第二の実施の形態に菓子が収容されている状態を示す斜視図である。
【図５】第三の実施の形態を示す斜視図である。
【図６】第三の実施の形態に菓子が収容されている状態を示す斜視図である。
【図７】第四の実施の形態を示す斜視図である。
【図８】第五の実施の形態を示す斜視図である。
【図９】従来の菓子容器に菓子が収容されている状態を示す斜視図である。
【符号の説明】
【００３５】
１  切り込みまたはミシン目が設けられた菓子容器
２  切り込み
３  ミシン目
４  焼き餡
５  焼成菓子と同じ材質で焼き上げられた船形形状の皮
６  従来の菓子容器
【図１】
2009007025.tif 000003
【図２】
2009007025.tif 000004
【図３】
2009007025.tif 000005
【図４】
2009007025.tif 000006
【図５】
2009007025.tif 000007
【図６】
2009007025.tif 000008
【図７】
2009007025.tif 000009
【図８】
2009007025.tif 000010
【図９】
2009007025.tif 000011